(57)【要約】【課題】２本の刃体を枢着した理美容鋏であって、使用者の指の太さや、指環の形状、作りの好みが異なっても、これらにあった指環にすることのできる理美容鋏を提供すること。【解決手段】理美容鋏の刃体は少なくとも柄部２０と指環１０を有すると共に、柄部２０と指環１０との間に装着部４０を有して指環１０が交換可能に装着されたことを特徴とする。また交換可能な指環１０が、大きさ、及び／又は、形状を違えて準備されている。【選択図】　　図２
2004113539.tif 000002
【特許請求の範囲】
【請求項１】
２本の刃体を枢着した理美容鋏であって、前記刃体は少なくとも柄部と指環を有すると共に、前記柄部と前記指環との間に装着部を有して前記指環が交換可能に装着されたことを特徴とする理美容鋏。
【請求項２】
交換可能な指環が、大きさ、及び／又は、形状を違えて準備されていることを特徴とする請求項１記載の理美容鋏。
【請求項３】
装着部は、指環に設けられた第一のネジ穴と、前記指環を装着する柄部に設けられた第二のネジ穴と、前記第一のネジ穴と前記第二のネジ穴にネジ締めされるネジとを有すると共に、
前記ネジを回動軸とする前記柄部と前記指環との角度関係を選択可能に装着されることを特徴とする請求項１又は２記載の理美容鋏。
【発明の詳細な説明】
【発明の属する技術分野】
この発明は理美容鋏の改良に関し、詳しくは、理美容鋏を使う者の指の太さが異なっても、これに併せることのできる理美容鋏に関する。
【０００１】
【従来の技術】
理美容鋏は、理容師、美容師など様々な技術者により使われるのである。しかしこれら技術者の手や指の太さは、確認によりマチマチである。
一方、理美容鋏は指環のサイズに大小の区別が無く、ある型式の理美容鋏が指環の大小サイズを違えて数種類準備されているという事はなかった。しかし、理美容技術者は一日中、鋏を握っているので、鋏の指環が自分の指の太さに合うかどうかで、その使い易さが大きく左右される。特に理美容鋏の指環は、一般に指１本だけを挿す様になっていて（つまり、一部の事務用鋏の様に指２本を通せる指環ではなくて）、しかも指より一回り大きい程度の小さな指環が一般である。これは髪を切るときに、細かな作業をするので、握った鋏の刃先までもグラつくことなく細かくコントロールする必要があり、その為に指環の円を小さく作り、指１本を挿した際の遊びをなるべく無い様にしているからである。
【０００２】
これに対して、指環の内側にゴムのリングを嵌めたものがある。更に、この様なゴムリングを指環に備えた鋏の一部には、このゴムリングを交換可能にしたものがあり、この交換用として準備してあるゴムリングに、リングの内径が大小異なるものを数種類のものが準備したものがある。つまり鋏の使用者は、このゴムリングの中から自分の指の太さにあった内径のゴムリングを選び、これを指環の内側に嵌めて用いることのより、自分の指にあった鋏とすることができるのである（例えば、非特許文献１）。
【０００３】
【特許文献１】
企画・編集株式会社菊星「カットが絶対おもしろくなる本」平成９年（１９９７年）度版（表紙には、「株式会社イトウ玉商事」の記載がある。）Ｐ．１９
【０００４】
【発明が解決しようとする課題】
ただ、ステンレスだけでできた一般的な指環に比べ、ゴムリングは指の滑りが悪く使い勝手が悪いなどして、余り普及していない。
またステンレスだけの一般的な指環であっても、上述した様に指の一回り大きい程度の指環であると、指の太い人であれば挿しにくく、また挿しても必要な遊びがないので使いづらいなどの問題がある。しかし、先に述べた様に理美容鋏は、指環のサイズ別の鋏というものは提供されておらず、よって使いにくさを我慢して使うこととなる。
しかし中には指が太く、どうしても自分には指環が小さいという場合がある。この様な場合には、指環を金ノコなどで切り、切れ目を拡げるなどして自分に合う大きさにして使っているのである。
【０００５】
この様な問題は、指の細い人に対しても同様であり、少ないケースながら、指環がもう少し小さい方がいいという場合もある。また指環の太さに限らず、指環の形状や作りも、かく技術者によって好みや使いにくさがある。
【０００６】
以上の問題を鑑み、本願発明の目的とするところは、理美容鋏であって、使用者の指の太さや、指環の形状、作りの好みが異なっても、これらにあった指環にすることのできる理美容鋏を提供することにある。
【０００７】
【課題を解決するための手段と発明の効果】
以上の他界を解決するために、本願請求項１記載の発明では、２本の刃体を枢着した理美容鋏であって、前記刃体は少なくとも柄部と指環を有すると共に、前記柄部と前記指環との間に装着部を有して前記指環が交換可能に装着されたことを特徴とする。
これにより、指環が交換できるのであり、従来の理美容鋏の様に、１つの鋏に１つの指環という制約を受けることが無くなる。
【０００８】
請求項２記載の発明では、交換可能な指環として、大きさ、及び／又は、形状を違えて数種類準備されていることを特徴とする。請求項１記載の発明をより具現化させた発明であり、これにより自分にあった指環への交換が容易になる。
【０００９】
請求項３記載の発明では、装着部が、指環に設けられた第一のネジ穴と、前記指環を装着する柄部に設けられた第二のネジ穴と、前記第一のネジ穴と前記第二のネジ穴にネジ締めされるネジとを有すると共に、前記ネジを回動軸とする前記柄部と前記指環との角度関係を選択可能に装着されることを特徴とする。
指環は柄部と一体形成されているので、従来その向きが一定であったが、本請求項により所望の角度関係にすることができ、理美容鋏の利用者にあった指環の鋏を提供することができる。
【００１０】
【発明の実施の形態】
次に、本願発明の実施例を示す。
（実施例１）図１に示す理美容鋏１Ａ（以下、単に鋏という）は、図２に示す様に指環１０が柄部２０から外れる様に構成されている。即ちこの鋏１Ａは指環１０と柄部２０との間に、指環１０に設けられた第一のネジ穴１１と、指環１０を装着する柄部２０に設けられた第二のネジ穴２１と、これら第一のネジ穴１１と第二のネジ穴２１にネジ締めされるネジ３０とを有する装着部４０を有している。詳しくは以下の様になっている。
【００１１】
指環１０は、その外周面に第一の取付面１２が形成されて柄部２０に装着する際の取付面になっている。そしてこの第一の取付面１２には、第一のネジ穴１１と、柄部２０に設けられた後述する突起２２に係止する係止穴１３とが設けられている。
【００１２】
柄部２０はその端部２３，２３同士が平行となる様な形状に形成され、この端部２３の外側に指環１０が装着される様になっていて、この装着位置には、指環側の第一の取付面１３に対応した形状の第二の取付面２４が形成されている。又ここには第二のネジ穴２１が貫通して設けられ、更に第二の取付面２４には小さな円柱状の突起２２が設けられて、指環の係止穴１３に嵌められる様になっている。
【００１３】
指環１０の装着であるが、まず指環１０を柄部２０側の突起２２に嵌め、次に柄部２０の内側（２本の柄部同士が向かい合う側）からネジ３０を挿し、柄部２０を突き抜けて指環１０までをネジ締めすることにより装着できる。指環１０を外すときは、この操作を逆に行えばよい。
この様な構成と方法により、指環の交換が可能であり、よって大きさや形状を違えた指環を数種類準備されることにより、使用者は自分の指の太さや好みの形状の指環を装着した鋏を得ることができる。
【００１４】
（実施例２）図３に示す鋏１Ｂは、図４に示す様な装着部４０を有するものである。この装着部４０は、指環１０に設けられた第一のネジ穴１１と、柄部２０に設けられた第二のネジ穴２１と、これらネジ穴１１，２１にネジ締めされるネジ３０を有する点が実施例１と同様である。しかし指環１０の柄部２０との接続部分が第一の段部１４に形成され、柄部２０の端部には第一の段部１４の形状に対応し形状の第二の段部２５が形成されている。そしてこれら２つの段部１４，２５を重ねると、第一のネジ穴１１と第二のネジ穴２１が指環の面に直角な方向に連通して、ここにネジ締めが成される様になっている。鋏を閉じた時の閉じ位置はヒットポイントで決まるが、このヒットポイントが一般的には指環にも設けられている。しかし実施例２の鋏１Ｂは柄部２０の内側にはヒットポイントＰとその受け部Ｐ’が設けられていて、指環１０の交換やこれに伴う指環１９，１０同士の間隔の広狭変動にも干渉されない様に対応している。
【００１５】
（実施例３）図５に示す鋏１Ｃは、実施例２と類似した装着部になっている。違いは、第二の段部２５からこの段部２５と同じ厚さの延長部２８が延長させられている点と、指環側の第一の段部１４からはこの延長部２８が収納される収納部１５が凹設されている点が異なる。この延長部２８は図６に示す様に、指環１０の外側部分に位置する形状になっていて、この様な延長部２８が２つの指環１０，１０の対面する側に形成されている。
これは、実施例２のような指環１０であると、鋏１Ｂを閉じるときの指環に加わる力で、指環がネジ３０を軸にして少しづつ回動しながらズレてしまって（図３の矢印参照）、指環１０の柄部２０との位置関係が狂う虞があり、この様な虞を解消するために実施例３の様な延長部２８を形成させたのである。即ちこの延長部２８が指環１０の外側部分に対応する位置となる様な形成されており、一方、この延長部２８を収納する指環１０側の収納部１５は、図３の矢印の様なズレを起こそうとすると、指環１０の収納部１５が延長部２８に規制されて、この様なズレの発生を阻止する事ができるのである。換言すれば、指環１０の内側部分が、指環１０の外側に位置する延長部２８に当接して、図３の矢印の様なズレを防ぐ事ができるのである。
【００１６】
（実施例４）図７に示す鋏１Ｄも、実施例３と大半が同じであり、柄部２０側からは延長部２８が延長され、指環１０には延長部２８を収納する収納部１５が形成されている。またこの様な延長部２８の果たす機能も実施例３と同様であり、即ち、鋏１Ｄを閉じる際に、指環１０が図３の矢印の様なズレを防ぐ事ができる。ただ実施例３との相違点は、柄部２０の表裏に第二の段部２５，２５が各々形成されていて、指環１０の収納部１５は、この延長部２８を収納するために指環１０の対応位置に切り込み状に形成されている点である。
【００１７】
（実施例５）図８〜９に示す鋏１Ｅは、図中の切り欠き部分Ｘに示した様に、指環１０の内側から外側に貫通する第一のネジ穴１１が、この指環１０を装着したときの柄部２０の軸芯に向かう位置に形成され、柄部２０には第一のネジ穴１１に連通する位置に第二のネジ穴２１が形成されている。そして指環１０の内側からネジ３０を挿し込み、第一のネジ穴１１から第二のネジ穴２１にネジ締めしてある。またこの指環１０は、ネジ２０を回動軸として、柄部２０に対して相対的に回動することができるが、指環の第一の取付面１３と柄部の第二の取付面２４には、互いに係止し合う凹凸による係止面が形成されており、指環の回動向きを所望の角度関係に選択してネジを締めると、指環１０の向きを所望に形成した鋏を得ることができる。
【００１８】
（実施例６）図１０に示す鋏１Ｆは、交換される指環１０が、円周の一部を切り欠かれたリング１０ａに形成され、切り欠かれた端部１０Ｔが、柄部２０に形成された収納部２６に収納された状態で装着される様になっている。即ち、指環の端部１０Ｔは一回り細くした円柱状の凸部１４に形成され、一方、柄部の端部２０Ｔは略Ｙ字状に形成されて、このＹ字部分が指環１０の切り欠かれて欠落した部分１０Ｋを補うかたちで装着される様になっている。またＹ字の部分２０Ｔは、図１０中でいう上側半分が切り欠かれた状態になっており、残りのＹ字の二股部分には、指環１０側の凸部１４を収納できる凹状の収納部２６が、円筒を２つに割った際の内筒状に形成されている。そしてこの収納部２６に指環１０の凸部１４を、図１０中の上から嵌める様になっており、その際には収納部２６内に凸設されている小円柱状の突起２２が、凸部１４に貫通されている係止穴１３に嵌る様になっている。そして、この様にして指環１０を柄部２０の収納部２６に嵌めてから、Ｙ字部分２０Ｔの「切り欠かれて取り除かれた部分」と同じ形状に形成された止め部材２７を上から被せ、これをネジ締めすることにより装着が完了する。止め部材２７は、その内側には、柄部２０と同様の収納部２６が形成されている。
【００１９】
（実施例７）図１１に示す鋏１Ｇは、実施例４と同様に交換される指環１０が、リング１０ｂを切り欠かれた状態で形成されているが、この様なリング２本１０ｂ，１０ｂを重ねた状態で柄部２０に取り付けて、１つの指環１０となっている。取り付け方も実施例４と類似している。
即ち、柄部２０の端部２０Ｔが略Ｙ字状に形成されており、このＹ字部分２０Ｔは、図１１中の上面側２０ｕｐと下面側２０ｄｎとが各々切り欠かれた状態となっており、切り欠かれたＹ字の二股部分２０Ｔは、その上面側と下面側には、リング１０ｂの端部１０Ｔを収納するための凹状の収納部２６が形成されている。また上面側の収納部２６内に凸設されている小円柱状の突起２２が、上面側のリング１０の端部１０Ｔに貫通されている係止穴１３に嵌る様になっている点は実施例４と同様である。そして、この様にしてリング２本１０ｂ，１０ｂを柄部２０の表裏の収納部２６，２６に嵌めてから、Ｙ字部分の上面側２０ｕｐと下面側２０ｄｎの各「切り欠かれて取り除かれた部分」と同じ形状に形成された２つの止め部材２７，２７を上下から被せ、これをネジ締めすることにより装着が完了する。止め部材２７の内側に、柄部と同様の収納部２６が形成されている点も実施例４と同様である。
なお図１１中の下から被せる止め部材２７だけにはその収納部に突起２２が設けられ、下側のリングはこの突起に嵌めた状態で、止め部材と一緒に柄部側の下側収納部に収納させる様になっている。
【００２０】
なお、以上の鋏はいずれも交換用の指環を数種類準備されており、大きさや形状が各種揃えられているので、自分の指の太さや好みの形状の指環を装着した鋏を得ることができる。
【図面の簡単な説明】
【図１】この図は、実施例１に示す鋏の図である。
【図２】この図は、図２に示した鋏の分解図である。
【図３】この図は、実施例２に示す鋏の図である。
【図４】この図は、図３に示した鋏の指環を分解した図である。
【図５】この図は、実施例３に示す鋏の部分分解図であり、柄部からの延長部と指環の収納部を説明している。
【図６】この図は、図５に示した延長部の指環との配置関係を説明する図である。
【図７】この図は、実施例４に示す鋏の部分分解図である。
【図８】この図は、実施例５に示す鋏の図であり、指環の柄部との装着部分を切り欠いてある。
【図９】この図は、図８に示した鋏の部分切り欠き図である。
【図１０】この図は、実施例６に示す鋏の部分分解図である。
【図１１】この図は、実施例７に示す鋏の部分分解図である。
【符号の説明】
１Ａ，１Ｂ，１Ｃ，１Ｄ，１Ｅ　理美容鋏
１０　指環
１０ａ，１０ｂ　リング
１１　第一のネジ穴
１２　第一の取付面
１３　係止穴
１４　第一の段部
１５　収納部
１０Ｔ　指環の端部
２０　柄部
２１　第二のネジ穴
２２　突起
２３　柄部の端部
２４　第二の取付面
２５　第二の段部
２６　収納部
２８　延長部
２０Ｔ　柄部のＹ字状となった端部
３０　ネジ
４０　装着部
【図１】
2004113539.tif 000003
【図２】
2004113539.tif 000004
【図３】
2004113539.tif 000005
【図４】
2004113539.tif 000006
【図５】
2004113539.tif 000007
【図６】
2004113539.tif 000008
【図７】
2004113539.tif 000009
【図８】
2004113539.tif 000010
【図９】
2004113539.tif 000011
【図１０】
2004113539.tif 000012
【図１１】
2004113539.tif 000013